(57)【特許請求の範囲】
【請求項１】
容器本体の上端を開口し、該容器本体の上端にはポンプ手段を備えた外蓋を該容器本体に対し分離自在に取り付け、該容器本体の上端には内蓋を備えさせた液状石鹸類の供給容器において、
該内蓋には開口部を備えさせ、該開口部には開閉蓋の一端を該開閉蓋が開閉自在になるように枢着し、
液状石鹸類を収納した詰め替え用袋を該詰め替え用袋の一端を開口した状態で容器本体内に入れ、該詰め替え用袋の他端を前記開閉蓋の他端に対応する該開口部の対応縁に臨ませた状態で該開閉蓋を閉じる方向に押圧することにより該開閉蓋の前記他端を該詰め替え用袋に押し付けた状態で該詰め替え用袋を容器本体の外方に引くことにより、該詰め替え用袋内の液状石鹸類を該容器本体内に搾り出すようにしたことを特徴とする液状石鹸類の供給容器。
【請求項２】
前記開口部の前記対応縁は、上方に向かって前記容器本体の中心から離れる方向に傾斜した傾斜面を備えていることを特徴とする請求項１に記載の液状石鹸類の供給容器。
【請求項３】
前記開閉蓋の前記他端は、該開閉蓋を閉じたときに前記開口部における前記対応縁の傾斜面と略平行になる押圧面を備えていることを特徴とする請求項２に記載の液状石鹸類の供給容器。
【請求項４】
前記開閉蓋の前記他端は、該開閉蓋を閉じたときに前記開口部の前記対応縁に当接することにより該開閉蓋が開くことを防止するための凸部を備えていることを特徴とする請求項１〜３のいずれかに記載の液状石鹸類の供給容器。
【請求項５】
前記内蓋は、前記容器本体に対し着脱自在であることを特徴とする請求項１〜４のいずれかに記載の液状石鹸類の供給容器。
【発明の詳細な説明】
【技術分野】
【０００１】
本発明は、液状石鹸類の供給容器に関するものであり、特に詰め替え用袋内の液状石鹸類を供給容器内に容易に移すことができるようにした液状石鹸類の供給容器に係るものである。
【０００２】
本出願における「液状石鹸類」には、シャンプー、リンス、トリートメント、コンディショナー、ボディシャンプー等が含まれる。
【背景技術】
【０００３】
液状石鹸類は、例えば実公平７−２５１２１号公報に示すように、一般にポンプ手段を備えた供給容器に収納されている。
【０００４】
また、液状石鹸類を収納した詰め替え用袋も販売されている。この詰め替え用袋は、液状石鹸類の供給容器内の液状石鹸類を使い尽くしたときに、該供給容器を廃棄することなく、該詰め替え用袋内の液状石鹸類を該供給容器に補充するようにしたものである。
【０００５】
本出願人の出願に係る特開２００９−２６２９６７号公報は、詰め替え用袋内の液状石鹸類を供給容器内に容易に移すことができるようにした液状石鹸類の供給容器（以下単に「従来の液状石鹸類の供給容器」という。）を開示している。
【０００６】
従来の液状石鹸類の供給容器は、図７に示すように、容器本体１の上端１ａを開口し、該容器本体１の上端１ａにはポンプ手段３を備えた外蓋５を該容器本体１に対し分離自在に取り付け、該容器本体１の上端１ａには内蓋１３を開閉自在に備えさせ、該内蓋１３には該内蓋１３を内外に貫通するスリット１７を形成し、該容器本体１から外蓋５を分離させると共に内蓋１３を開いた状態で液状石鹸類を収納した詰め替え用袋１９を容器本体１内に入れて該詰め替え用袋１９の一端１９ａを開口させ、該詰め替え用袋１９の他端１９ｂを内蓋１３のスリット１７に挿入させた状態で該内蓋１３を容器本体１の上端１ａに嵌め、該詰め替え用袋１９の他端１９ｂを上方に引き上げることにより該詰め替え用袋１９内の液状石鹸類を該スリット１７により該容器本体１内に搾り出すようにしてなるものである。
【先行技術文献】
【特許文献】
【０００７】
【特許文献１】実公平７−２５１２１号公報
【特許文献２】特開２００９−２６２９６７号公報
【発明の概要】
【発明が解決しようとする課題】
【０００８】
従来の液状石鹸類の供給容器においては、詰め替え用袋１９内の液状石鹸類を該容器本体１内に搾り出すための内蓋１３のスリット１７は該内蓋１３に予め形成された透孔であり、詰め替え用袋１９或いは該詰め替え用袋１９内の液状石鹸類の状態等に応じて調節することができない。したがって、従来の液状石鹸類の供給容器においては、詰め替え用袋１９内の液状石鹸類をすべて完全に容器本体１内に搾り出すことができず、内蓋１３のスリット１７を通過させた後に、該詰め替え用袋１９内に液状石鹸類が残存するという問題が生じている。
【０００９】
また、従来の液状石鹸類の供給容器においては、内蓋１３のスリット１７が前述の如く調節不能であるため、液状石鹸類を含む詰め替え用袋１９の他端１９ｂを上方に引き上げてスリット１７を通過させる作業も容易ではないという問題もある。
【００１０】
このような状況に鑑み、本発明は、詰め替え用袋内の液状石鹸類をすべて完全に、かつ、容易に容器本体内に搾り出すことができるようにした液状石鹸類の供給容器を提供しようとしてなされたものである。
【課題を解決するための手段】
【００１１】
上記課題を解決するために、本発明は、下記の液状石鹸類の供給容器を提供する。
【００１２】
（１）容器本体の上端を開口し、該容器本体の上端にはポンプ手段を備えた外蓋を該容器本体に対し分離自在に取り付け、該容器本体の上端には内蓋を備えさせた液状石鹸類の供給容器において、
該内蓋には開口部を備えさせ、該開口部には開閉蓋の一端を該開閉蓋が開閉自在になるように枢着し、
液状石鹸類を収納した詰め替え用袋を該詰め替え用袋の一端を開口した状態で容器本体内に入れ、該詰め替え用袋の他端を前記開閉蓋の他端に対応する該開口部の対応縁に臨ませた状態で該開閉蓋を閉じる方向に押圧することにより該開閉蓋の前記他端を該詰め替え用袋に押し付けた状態で該詰め替え用袋を容器本体の外方に引くことにより、該詰め替え用袋内の液状石鹸類を該容器本体内に搾り出すようにしたことを特徴とする液状石鹸類の供給容器（請求項１）。
【００１３】
（２）前記開口部の前記対応縁は、上方に向かって前記容器本体の中心から離れる方向に傾斜した傾斜面を備えている（請求項２）。
【００１４】
（３）前記開閉蓋の前記他端は、該開閉蓋を閉じたときに前記開口部における前記対応縁の傾斜面と略平行になる押圧面を備えている（請求項３）。
【００１５】
（４）前記開閉蓋の前記他端は、該開閉蓋を閉じたときに前記開口部の前記対応縁に当接することにより該開閉蓋が開くことを防止するための凸部を備えている（請求項４）。
【００１６】
（５）前記内蓋は、前記容器本体に対し着脱自在である（請求項５）。
【発明の効果】
【００１７】
［請求項１の発明］
液状石鹸類を収納した詰め替え用袋を内蓋の開口部に枢着された開閉蓋の前記他端と該開口部の対応縁との間を通過させることにより、該詰め替え用袋内の液状石鹸類を容器本体内に搾り出すのであるが、開閉蓋の前記他端と該開口部の対応縁との間隔は固定されているものではなく、使用者が該開閉蓋を閉じる方向に押圧する力を加減することにより、該間隔を自在に調節することができる。また、詰め替え用袋内に残存する液状石鹸類の量等に応じて、該詰め替え用袋を容器本体の外方に引きつつ、該開閉蓋を閉じる方向に押圧する力を加減することにより、該詰め替え用袋内の液状石鹸類を効果的に搾り出すことができる。したがって、詰め替え用袋内の液状石鹸類を残すことなく完全に、かつ、容易に容器本体内に搾り出すことができる。
【００１８】
［請求項２の発明］
開口部の前記対応縁は、上方に向かって容器本体の中心から離れる方向に傾斜した傾斜面を備えているため、使用者は詰め替え用袋内の液状石鹸類を搾り出す際に該詰め替え用袋を斜め上方に引くことができる。したがって、詰め替え用袋内の液状石鹸類を搾り出す作業が一層容易なものとなる。
【００１９】
［請求項３の発明］
開閉蓋の前記他端は、該開閉蓋を閉じたときに前記開口部における前記対応縁の傾斜面と略平行になる押圧面を備えているため、詰め替え用袋内の液状石鹸類を搾り出す際に、該詰め替え用袋を容器本体の外方に引きつつ、該詰め替え用袋を該押圧面と傾斜面との間で効果的に圧搾することができる。
【００２０】
［請求項４の発明］
開閉蓋がヒンジ部を介して内蓋と一体的に形成されている場合には、該開閉蓋を閉じても該開閉蓋が開く傾向がある。閉じた状態にあるべき開閉蓋が開いていることは、商品の外観上不都合である。
【００２１】
請求項４の発明においては、開閉蓋の前記他端は、該開閉蓋を閉じたときに前記開口部の前記対応縁に当接することにより該開閉蓋が開くことを防止するための凸部を備えているため、一旦閉じた開閉蓋は閉じた状態に保持される。
【００２２】
［請求項５の発明］
内蓋は、容器本体に対し着脱自在であるため、必要時には、該内蓋を容器本体から外し、容器本体内を掃除することができる。
【図面の簡単な説明】
【００２３】
【図１】図１は、本発明による液状石鹸類の供給容器の一例を示す断面図である。
【図２】図２は、同上供給容器において、開閉蓋を開いて詰め替え用袋を容器本体内に入れつつある状態を示す断面図である。
【図３】図３は、同上供給容器において、詰め替え用袋内の液状石鹸類を容器本体内に搾り出ている状態を示す断面図である。
【図４】図４は、内蓋の斜視図である。
【図５】図５は、同上内蓋の平面図である。
【図６】図６は、開閉蓋の前記他端に備えさせた凸部等を示す断面図である。
【図７】図７は、従来の液状石鹸類の供給容器を示す断面図である。
【発明を実施するための形態】
【００２４】
符号２１に示すものは液状石鹸類の供給容器における容器本体である。容器本体２１は、箱状、円筒状その他如何なる形状を備えたものであっても差し支えない。
【００２５】
容器本体２１の上端２１ａを開口し、該容器本体２１の上端２１ａにはポンプ手段（ポンプ装置）２３を備えた外蓋２５を容器本体２１に対し分離自在（開閉自在）に取り付ける。
【００２６】
外蓋２５を容器本体２１に対し分離自在に取り付けるとは、外蓋２５を容器本体２１の上端２１ａに例えば取り外し自在に嵌着若しくは螺合し、又は開閉自在に枢着することをいう。
【００２７】
ポンプ手段２３は、液状石鹸類の供給容器に従来より使用されているものでよい。符号２７に示すものはシリンダ、符号２９に示すものは押下ヘッド、符号３１に示すものはノズルである。
【００２８】
容器本体２１の上端２１ａには内蓋３３を備えさせる。
【００２９】
内蓋３３は、好ましくは、容器本体２１に対し着脱自在である。図示の事例においては、内蓋３３は容器本体２１の上端２１ａに対し嵌脱自在である。
【００３０】
内蓋３３には開口部３５を備えさせ、該開口部３５には開閉蓋３７の一端３７ａを該開閉蓋３７が開閉自在になるように枢着する。開閉蓋３７を開いたときには、開口部３５より容器本体２１内に詰め替え用袋３９を入れることができる。なお、開閉蓋３７にはポンプ手段２３のシリンダ２７を挿通させるための挿通孔４１を備えさせる（図１参照）。開閉蓋３７を開く際には、該挿通孔４１に指を掛けることもできる。
【００３１】
開口部３５に開閉蓋３７の一端３７ａを該開閉蓋３７が開閉自在になるように枢着するに当っては、該開閉蓋３７の一端３７ａを該開閉蓋３７とは別体のヒンジ（図示せず。）を介して開口部３５に枢着してもよいが、開閉蓋３７と内蓋３３とを合成樹脂により一体的に形成し、該開閉蓋３７の一端３７ａをヒンジ部となすことが望ましい。
【００３２】
液状石鹸類を収納した詰め替え用袋３９を該詰め替え用袋３９の一端３９ａを開口した状態で例えば内蓋３３の開口部３５より容器本体２１内に入れ（図２参照）、該詰め替え用袋３９の他端３９ｂを前記開閉蓋３７の他端３７ｂに対応する該開口部３５の対応縁３５ｂに臨ませた状態で該開閉蓋３７を閉じる方向に押圧することにより該開閉蓋３７の前記他端３７ｂを該詰め替え用袋３９に押し付けた状態で該詰め替え用袋３９を容器本体２１の外方に引くことにより、該詰め替え用袋３９内の液状石鹸類４３を該容器本体２１内に搾り出すようになす。なお、図示の事例においては、開閉蓋３７の他端３７ｂと該他端３７ｂに対応する該開口部３５の対応縁３５ｂとは、それぞれ直線状に形成されているが、これらのものは、必ずしも直線状である必要はなく、例えば円弧状等をなしていても差し支えない。
【００３３】
前記開口部３５の対応縁３５ｂは、好ましくは、上方に向かって容器本体２１の中心から離れる方向に傾斜した傾斜面３５ｃを備えている。
【００３４】
前記開閉蓋３７の他端３７ｂは、好ましくは、該開閉蓋３７を閉じたときに前記開口部３５における前記対応縁３５ｂの傾斜面３５ｃと略平行になる押圧面３７ｃを備えている。
【００３５】
前記開閉蓋３７の他端３７ｂは、好ましくは、該開閉蓋３７を閉じたときに前記開口部３５の対応縁３５ｂに当接することにより該開閉蓋３７が開くことを防止するための凸部４５を備えている。凸部４５は、一例として突条とする。
【００３６】
なお、符号４７、４９に示すものは、内蓋３３に備えさせた補強用のリブである。
【符号の説明】
【００３７】
１  容器本体
１ａ  上端
３  ポンプ手段
５  外蓋
１３  内蓋
１７  スリット
１９  詰め替え用袋
１９ａ  一端
１９ｂ  他端
２１  容器本体
２１ａ  上端
２３  ポンプ手段
２５  外蓋
２７  シリンダ
２９  押下ヘッド
３１  ノズル
３３  内蓋
３５  開口部
３５ｂ  対応縁
３５ｃ  傾斜面
３７  開閉蓋
３７ａ  一端
３７ｂ  他端
３７ｃ  押圧面
３９  詰め替え用袋
３９ａ  一端
３９ｂ  他端
４１  挿通孔
４３  液状石鹸類
４５  凸部
４７  リブ
４９  リブ
【図１】
0005491939.tif 000002
【図２】
0005491939.tif 000003
【図３】
0005491939.tif 000004
【図４】
0005491939.tif 000005
【図５】
0005491939.tif 000006
【図６】
0005491939.tif 000007
【図７】
0005491939.tif 000008